(57)【要約】【課題】電池の充電中、表示用充電率が表示される表示部を確認しているユーザに与える違和感を低減する。【解決手段】表示部５１と、電池Ｂに流れる電流の積算値により算出される推定充電率、及び、電池Ｂの電圧により補正される推定充電率を取得する推定充電率取得部５３１と、推定充電率により表示部５１に表示させる表示用充電率を算出する表示用充電率算出部５３２とを備えて充電率表示装置５を構成し、表示用充電率算出部５３２は、補正後の推定充電率が表示用充電率より小さい場合、電池Ｂの充電中、表示用充電率を減少させない。【選択図】図１
2020008473.tif 000002
【特許請求の範囲】
【請求項１】
表示部と、
電池に流れる電流の積算値により算出される推定充電率、及び、前記電池の電圧により補正される前記推定充電率を取得する推定充電率取得部と、
前記推定充電率により前記表示部に表示させる表示用充電率を算出する表示用充電率算出部と、
を備え、
前記表示用充電率算出部は、補正後の前記推定充電率が前記表示用充電率より小さい場合、前記電池の充電中、前記表示用充電率を減少させない
ことを特徴とする充電率表示装置。
【請求項２】
請求項１に記載の充電率表示装置であって、
前記表示用充電率算出部は、補正後の前記推定充電率が前記表示用充電率より小さい場合、前記電池の充電中、前記推定充電率が前記表示用充電率と一致するまで、前記表示用充電率を変化させず、前記推定充電率が前記表示用充電率と一致した後、前記表示用充電率＝前記推定充電率とすることにより前記表示用充電率を算出する
ことを特徴とする充電率表示装置。
【請求項３】
請求項１に記載の充電率表示装置であって、
前記表示用充電率算出部は、補正後の前記推定充電率が前記表示用充電率より小さい場合、前記電池の充電中、前記推定充電率が前記表示用充電率と一致するまで、前記表示用充電率＝現在の表示用充電率＋（１より小さい補正値×前記推定充電率の増加分）を計算することにより前記表示用充電率を算出し、前記推定充電率が前記表示用充電率と一致した後、前記表示用充電率＝前記推定充電率とすることにより前記表示用充電率を算出する
ことを特徴とする充電率表示装置。
【請求項４】
充電率表示装置における充電率表示方法であって、
前記充電率表示装置は、
電池に流れる電流の積算値により算出される推定充電率、及び、前記電池の電圧により補正される前記推定充電率を取得し、
前記推定充電率により表示部に表示させる表示用充電率を算出し、
補正後の前記推定充電率が前記表示用充電率より小さい場合、前記電池の充電中、前記表示用充電率を減少させない
ことを特徴とする充電率表示方法。
【発明の詳細な説明】
【技術分野】
【０００１】
本発明は、電池の充電率（電池の満充電容量に対する残容量の比率）を表示部に表示させる技術に関する。
【背景技術】
【０００２】
電池の充電率を表示部に表示させる充電率表示装置として、外部充電器による電池の充電中、電池に流れる電流の積算値により電池の充電率を推定し、その推定充電率を表示部に表示させるものがある。
【０００３】
ところで、電池に流れる電流の積算値により充電率を推定する場合は、電流検出部により検出される電流の誤差分が推定充電率に含まれてしまうため、電池に電流が流れていないときの電池の電圧により充電率を推定する場合に比べて、充電率の推定精度が低くなる。
【０００４】
そのため、上記充電率表示装置では、電池の充電中、推定精度が低い充電率を表示部に表示させてしまうおそれがある。
【０００５】
そこで、他の充電率表示装置として、電池に電流が流れていないときの電池の電圧により推定充電率を補正し、電池の充電中、表示部に表示されている充電率を、補正後の推定充電率に補正するものがある。
【０００６】
関連する技術として、特許文献１〜４がある。
【先行技術文献】
【特許文献】
【０００７】
【特許文献１】特開２０１０−１１０１８７号公報
【特許文献２】特開２０１３−０２９３４４号公報
【特許文献３】特開平０８−１０６９２７号公報
【特許文献４】特開２０１２−２１０１３３号公報
【発明の概要】
【発明が解決しようとする課題】
【０００８】
しかしながら、上記他の充電率表示装置では、補正後の推定充電率が、表示部に表示されている充電率より小さい場合、電池の充電中、補正後の推定充電率を表示部に表示する充電率とした結果、表示部に表示されている充電率が減少してしまうため、表示部を確認しているユーザに違和感を与えてしまうおそれがある。
【０００９】
そこで、本発明の一側面に係る目的は、電池の充電中、電池の充電率が表示される表示部を確認しているユーザに与える違和感を低減することである。
【課題を解決するための手段】
【００１０】
本発明に係る一つの形態である充電率表示装置は、表示部と、電池に流れる電流の積算値により算出される推定充電率、及び、電池の電圧により補正される推定充電率を取得する推定充電率取得部と、推定充電率により表示部に表示させる表示用充電率を算出する表示用充電率算出部とを備える。
【００１１】
表示用充電率算出部は、補正後の推定充電率が表示用充電率より小さい場合、電池の充電中、表示用充電率を減少させない。
【００１２】
これにより、補正後の推定充電率が表示用充電率より小さい場合であっても、電池の充電中、表示部に表示される表示用充電率を減少させないようにすることができるため、表示部を確認しているユーザに与える違和感を低減することができる。
【００１３】
また、表示用充電率算出部は、補正後の推定充電率が表示用充電率より小さい場合、電池の充電中、推定充電率が表示用充電率と一致するまで、表示用充電率を変化させず、推定充電率が表示用充電率と一致した後、表示用充電率＝推定充電率とすることにより表示用充電率を算出するように構成してもよい。
【００１４】
また、表示用充電率算出部は、補正後の推定充電率が表示用充電率より小さい場合、電池の充電中、推定充電率が表示用充電率と一致するまで、表示用充電率＝現在の表示用充電率＋（１より小さい補正値×推定充電率の増加分）を計算することにより表示用充電率を算出し、推定充電率が表示用充電率と一致した後、表示用充電率＝推定充電率とすることにより表示用充電率を算出するように構成してもよい。
【００１５】
これにより、電池の充電中、推定充電率の増加に伴って表示部に表示される表示用充電率を増加させることができるため、表示部を確認しているユーザに違和感を与えないようにすることができる。
【発明の効果】
【００１６】
本発明によれば、電池の充電中、電池の充電率が表示される表示部を確認しているユーザに与える違和感を低減することができる。
【図面の簡単な説明】
【００１７】
【図１】実施形態の充電率表示装置を含む車両を示す図である。
【図２】演算部の動作の一例を示すフローチャートである。
【図３】推定充電率及び表示用充電率の一例を示す図である。
【図４】演算部の動作の他の例を示すフローチャートである。
【図５】推定充電率及び表示用充電率の一例を示す図である。
【発明を実施するための形態】
【００１８】
以下図面に基づいて実施形態について詳細を説明する。
図１は、実施形態の充電率表示装置を含む車両を示す図である。
【００１９】
図１に示す車両Ｖｅは、電池Ｂと、電流検出部１と、電圧検出部２と、推定充電率算出部３と、記憶部４と、充電率表示装置５とを備える。
【００２０】
電池Ｂは、リチウムイオン電池またはニッケル水素電池などの１以上の二次電池により構成される。外部充電器Ｃｈからのびる充電ケーブルＣａの先端に設けられる充電プラグＰｕが車両Ｖｅ側に設けられるコネクタＣｏに挿入され、外部充電器Ｃｈから電池Ｂに充電電流が流れると、電池Ｂが充電され、電池Ｂの充電率（ＳＯＣ：Ｓｔａｔｅ  Ｏｆ  Ｃｈａｒｇｅ）が増加するものとする。
【００２１】
電流検出部１は、電流計などにより構成され、電池Ｂに流れる電流を検出する。
電圧検出部２は、電圧計などにより構成され、電池Ｂの電圧を検出する。
【００２２】
推定充電率算出部３は、ＣＰＵ（Central Processing Unit）またはプログラマブルなディバイス（ＦＰＧＡ（Field Programmable Gate Array）やＰＬＤ（Programmable Logic Device））などにより構成され、電流検出部１により検出される電流及び電圧検出部２により検出される電圧を取得する。
【００２３】
推定充電率算出部３は、車両Ｖｅの走行中（車両Ｖｅが走行可能状態であるとき）、電池Ｂに流れる電流の積算値により電池Ｂの推定充電率を算出し、その算出した推定充電率を充電率表示装置５に送る。
【００２４】
また、推定充電率算出部３は、外部充電器Ｃｈによる電池Ｂの充電開始時、電池Ｂの電圧と電池Ｂの充電率との対応関係を示す情報を参照して、電流検出部１により検出される電流がゼロまたは略ゼロのときに電圧検出部２により検出される電圧に対応する充電率を、補正後の推定充電率として算出し、その算出した補正後の推定充電率を充電率表示装置５に送る。これ以降、充電開始時に電圧を使って算出された充電率を、補正後の推定充電率という。なお、電池Ｂの電圧と電池Ｂの充電率との対応関係を示す情報は、記憶部４に記憶されているものとする。また、補正後の推定充電率は、電流検出部１により検出される電流の誤差分が含まれないため、電流検出部１により検出される電流の積算値により算出される推定充電率より推定精度が高く、電池Ｂの実際の充電率（真値）に近いものとする。
【００２５】
また、推定充電率算出部３は、外部充電器Ｃｈによる電池Ｂの充電中、電池Ｂに流れる電流の積算値により電池Ｂの推定充電率を算出し、その算出した推定充電率を充電率表示装置５に送る。なお、推定充電率算出部３は、「推定充電率＝現在の推定充電率＋（電流検出部１により検出される電流の積算値／電池Ｂの満充電容量）×１００」を計算することにより、推定充電率を算出する。また、上記現在の推定充電率の初期値は、電池Ｂの充電開始時、推定充電率算出部３により算出される補正後の推定充電率とする。
【００２６】
記憶部４は、ＲＡＭ（Random Access Memory）またはＲＯＭ（Read Only Memory）などにより構成される。
【００２７】
充電率表示装置５は、表示部５１と、記憶部５２と、演算部５３とを備える。
表示部５１は、液晶ディスプレイなどにより構成される。
【００２８】
記憶部５２は、ＲＡＭまたはＲＯＭなどにより構成される。
演算部５３は、ＣＰＵまたはプログラマブルなディバイスなどにより構成され、推定充電率取得部５３１と、表示用充電率算出部５３２とを備える。ＣＰＵまたはプログラマブルなディバイスが記憶部５２に記憶されるプログラムを実行することにより、推定充電率取得部５３１及び表示用充電率算出部５３２が実現される。
【００２９】
推定充電率取得部５３１は、車両Ｖｅの走行中、推定充電率算出部３から送られてくる推定充電率を取得する。
【００３０】
表示用充電率算出部５３２は、車両Ｖｅの走行中、推定充電率取得部５３１により取得される推定充電率により表示用充電率を算出し、その算出した表示用充電率を表示部５１に表示させる。
【００３１】
また、表示用充電率算出部５３２は、車両Ｖｅの走行終了時（車両Ｖｅが走行可能状態から走行不可能状態に移行するとき）、車両Ｖｅの走行中において最後に表示部５１に表示させた表示用充電率を、記憶部５２に記憶させる。
【００３２】
なお、車両Ｖｅの走行終了時に記憶部５２に記憶された表示用充電率が、実際の充電率より小さい場合、電池Ｂの充電開始時に推定充電率算出部３により算出される補正後の推定充電率は、車両Ｖｅの走行終了時に記憶部５２に記憶される表示用充電率より大きくなるものとする。
【００３３】
また、車両Ｖｅの走行終了時に記憶部５２に記憶された表示用充電率が、実際の充電率より大きい場合、電池Ｂの充電開始時に推定充電率算出部３により算出される補正後の推定充電率は、車両Ｖｅの走行終了時に記憶部５２に記憶される表示用充電率より小さくなるものとする。
【００３４】
＜電池Ｂの充電中の演算部５３の動作の一例について＞
図２は、電池Ｂの充電中の演算部５３の動作の一例を示すフローチャートである。
【００３５】
まず、演算部５３の推定充電率取得部５３１は、電池Ｂの充電が開示されると（ステップＳ１：Ｙｅｓ）、推定充電率算出部３により算出される補正後の推定充電率を取得するとともに、車両Ｖｅの走行終了時に記憶部５２に記憶された表示用充電率を取得する（ステップＳ２）。なお、推定充電率取得部５３１は、充電プラグＰｕがコネクタＣｏに挿入されたことを検知し、電流検出部１により検出される電流が充電電流であると判断すると、電池Ｂの充電が開始されたと判断するように構成してもよい。
【００３６】
次に、ステップＳ２で取得した補正後の推定充電率が、ステップＳ２で取得した表示用充電率より小さい場合、すなわち、充電開始時に推定充電率算出部３により算出される補正後の推定充電率が、車両Ｖｅの走行終了時に記憶部５２に記憶された表示用充電率より小さい場合（ステップＳ３：Ｙｅｓ）、推定充電率取得部５３１は、推定充電率算出部３から推定充電率を取得し（ステップＳ４）、表示用充電率算出部５３２は、ステップＳ２で取得した表示用充電率を表示部５１に表示させる（ステップＳ５）。
【００３７】
ステップＳ４で取得した推定充電率が、ステップＳ２で取得した表示用充電率と一致しないとき（ステップＳ６：Ｎｏ）、ステップＳ４及びステップＳ５が繰り返し行われる。すなわち、推定充電率取得部５３１は、補正後の推定充電率が表示用充電率より小さい場合、推定充電率が表示用充電率と一致するまで、推定充電率を繰り返し取得する。また、表示用充電率算出部５３２は、補正後の推定充電率が表示用充電率より小さい場合、推定充電率が表示用充電率と一致するまで、ステップＳ２で取得した表示用充電率を表示部５１に表示させる。言い換えると、表示用充電率算出部５３２は、補正後の推定充電率が表示用充電率より小さい場合、推定充電率が表示用充電率と一致するまで、表示部５１に表示させる表示用充電率を変化させない。
【００３８】
また、ステップＳ２で取得した補正後の推定充電率が、ステップＳ２で取得した表示用充電率より大きい場合、すなわち、充電開始時に推定充電率算出部３により算出される補正後の推定充電率が、車両Ｖｅの走行終了時に記憶部５２に記憶された表示用充電率より大きい場合（ステップＳ３：Ｎｏ、ステップＳ７：Ｙｅｓ）、推定充電率取得部５３１は、推定充電率算出部３から推定充電率を取得し（ステップＳ８）、表示用充電率算出部５３２は、表示用充電率＝現在の表示用充電率＋（１より大きい補正値Ｃ１×推定充電率の増加分）を計算することにより表示用充電率を算出し（ステップＳ９）、その算出した表示用充電率を表示部５１に表示させる（ステップＳ１０）。
【００３９】
ステップＳ８で取得した推定充電率が、ステップＳ２で取得した表示用充電率と一致しないとき（ステップＳ１１：Ｎｏ）、ステップＳ８〜ステップＳ１０が繰り返し行われる。すなわち、推定充電率取得部５３１は、補正後の推定充電率が表示用充電率より大きい場合、推定充電率が表示用充電率と一致するまで、推定充電率を繰り返し取得する。また、表示用充電率算出部５３２は、補正後の推定充電率が表示用充電率より大きい場合、推定充電率が表示用充電率と一致するまで、表示用充電率＝現在の表示用充電率＋（１より大きい補正値Ｃ１×推定充電率の増加分）を計算することにより算出される表示用充電率を表示部５１に表示させる。なお、補正値Ｃ１が大きいほど、電池Ｂの充電開始から推定充電率が表示用充電率と一致するまでの期間において、単位時間あたりの表示用充電率の増加量を大きくすることができる。
【００４０】
ステップＳ４で取得した推定充電率が、ステップＳ２で取得した表示用充電率と一致すると（ステップＳ６：Ｙｅｓ）、または、ステップＳ８で取得した推定充電率が、ステップＳ２で取得した表示用充電率と一致すると（ステップＳ１１：Ｙｅｓ）、または、ステップＳ２で取得した補正後の推定充電率が、ステップＳ２で取得した表示用充電率と一致すると（ステップＳ３：Ｎｏ、ステップＳ７：Ｎｏ）、推定充電率取得部５３１は、推定充電率算出部３から推定充電率を取得し（ステップＳ１２）、表示用充電率算出部５３２は、表示用充電率＝推定充電率とする（表示用充電率を推定充電率と同じにする）ことにより表示用充電率を算出し（ステップＳ１３）、その算出した表示用充電率を表示部５１に表示させる（ステップＳ１４）。
【００４１】
電池Ｂの充電が終了していない場合（ステップＳ１５：Ｎｏ）、ステップＳ１２〜ステップＳ１４が繰り返し行われる。すなわち、推定充電率取得部５３１は、電池Ｂの充電が終了するまで、推定充電率を繰り返し取得する。また、表示用充電率算出部５３２は、電池Ｂの充電が終了するまで、ステップＳ１２で取得される推定充電率を表示用充電率として表示部５１に表示させる。
【００４２】
そして、推定充電率取得部５３１及び表示用充電率算出部５３２は、電池Ｂの充電が終了すると（ステップＳ１５：Ｙｅｓ）、充電率表示動作を終了する。なお、推定充電率取得部５３１及び表示用充電率算出部５３２は、充電プラグＰｕがコネクタＣｏから抜かれたことを検知すると、電池Ｂの充電が終了したと判断するように構成してもよい。
【００４３】
すなわち、図２に示すフローチャートの動作を行う表示用充電率算出部５３２によれば、補正後の推定充電率が表示用充電率より小さい場合、推定充電率が表示用充電率と一致するまで、表示部５１に表示させる表示用充電率を変化させず、推定充電率が表示用充電率と一致した後、推定充電率を表示用充電率として表示部５１に表示させているため、電池Ｂの充電中、表示部５１に表示される充電率を減少させないようにすることができる。
【００４４】
図３（ａ）は、充電開始時に推定充電率算出部３により算出される補正後の推定充電率が、車両Ｖｅの走行終了時に記憶部５２に記憶された表示用充電率より小さい場合の電池Ｂの充電開始から充電終了までの期間における推定充電率及び表示用充電率の変化の一例を示す図である。なお、図３（ａ）に示す直交座標の横軸は時間を示し、縦軸は電池Ｂの充電率を示している。また、図３（ａ）に示す実線は推定充電率取得部５３１により取得される推定充電率を示し、図３（ａ）に示す破線は表示用充電率算出部５３２により算出される表示用充電率を示している。また、電池Ｂの充電開始から充電終了までの期間において、推定充電率取得部５３１により取得される推定充電率が増加し続けるものとする。
【００４５】
図３（ａ）に示すように、充電開始時に推定充電率算出部３により算出される補正後の推定充電率が、車両Ｖｅの走行終了時に記憶部５２に記憶された表示用充電率より小さい場合、表示用充電率算出部５３２は、電池Ｂの充電開始から推定充電率が表示用充電率と一致するまでの期間、走行終了時に表示部５１に表示されていた表示用充電率ＳＯＣｃを表示部５１に表示させ、推定充電率が表示用充電率と一致してから電池Ｂの充電が終了するまでの期間、表示用充電率＝推定充電率とすることにより算出される表示用充電率を表示部５１に表示させる。
【００４６】
これにより、電池Ｂの充電開始から推定充電率が表示用充電率と一致するまでの期間、表示部５１に表示させる表示用充電率を変化させないようにすることができる。また、推定充電率が表示用充電率と一致してから電池Ｂの充電が終了するまでの期間、推定充電率の増加に伴って表示部５１に表示させる表示用充電率を増加させることができる。
【００４７】
すなわち、表示用充電率算出部５３２は、補正後の推定充電率が表示用充電率より小さい場合、電池Ｂの充電中、表示用充電率を減少させないようにすることができる。
【００４８】
電池Ｂを充電する場合、ユーザは充電率の増加を期待し、充電率の減少を期待しない。そのため、充電開始したのに電池Ｂの表示用充電率が減少することはユーザにとって違和感がある。本実施形態では、補正後の推定充電率が表示用充電率より小さい場合であっても、電池Ｂの充電中、表示部５１に表示される表示用充電率が減少することがないため、表示部５１を確認しているユーザに与える違和感を低減することができる。
【００４９】
図３（ｂ）は、充電開始時に推定充電率算出部３により算出される補正後の推定充電率が、車両Ｖｅの走行終了時に記憶部５２に記憶される表示用充電率より大きい場合の電池Ｂの充電開始から充電終了までの期間における推定充電率及び表示用充電率の変化の一例を示す図である。なお、図３（ｂ）に示す直交座標の横軸は時間を示し、縦軸は電池Ｂの充電率を示している。また、図３（ｂ）に示す実線は推定充電率取得部５３１により取得される推定充電率を示し、図３（ｂ）に示す破線は表示用充電率算出部５３２により算出される表示用充電率を示している。また、電池Ｂの充電開始から充電終了までの期間において、推定充電率取得部５３１により取得される推定充電率が増加し続けるものとする。
【００５０】
図３（ｂ）に示すように、充電開始時に推定充電率算出部３により算出される補正後の推定充電率が、車両Ｖｅの走行終了時に記憶部５２に記憶される表示用充電率より大きい場合、表示用充電率算出部５３２は、電池Ｂの充電開始から推定充電率が表示用充電率と一致するまでの期間、表示用充電率＝現在の表示用充電率＋（１より大きい補正値Ｃ１×推定充電率の増加分）を計算することにより算出される表示用充電率を表示部５１に表示させ、表示用充電率が推定充電率と一致してから電池Ｂの充電が終了するまでの期間、表示用充電率＝推定充電率とすることにより算出される表示用充電率を表示部５１に表示させる。
【００５１】
これにより、電池Ｂの充電開始から充電終了までの期間、推定充電率の増加に伴って表示部５１に表示させる表示用充電率を増加させることができる。
【００５２】
すなわち、表示用充電率算出部５３２は、補正後の推定充電率が表示用充電率より大きい場合、電池Ｂの充電中、表示用充電率を増加させることができる。
【００５３】
また、１より大きい補正値Ｃ１とすることで、表示用充電率が推定充電率と一致するまで、表示用充電率を推定充電率に徐々に近づきながら増加させることができる。
【００５４】
図３（ｃ）は、充電開始時に推定充電率算出部３により算出される補正後の推定充電率が、車両Ｖｅの走行終了時に記憶部５２に記憶される表示用充電率と一致する場合の電池Ｂの充電開始から充電終了までの期間における推定充電率及び表示用充電率の変化の一例を示す図である。なお、図３（ｃ）に示す直交座標の横軸は時間を示し、縦軸は電池Ｂの充電率を示している。また、図３（ｃ）に示す実線は推定充電率取得部５３１により取得される推定充電率を示し、図３（ｃ）に示す破線は表示用充電率算出部５３２により算出される表示用充電率を示している。また、電池Ｂの充電開始から充電終了までの期間において、推定充電率取得部５３１により取得される推定充電率が増加し続けるものとする。
【００５５】
図３（ｃ）に示すように、充電開始時に推定充電率算出部３により算出される補正後の推定充電率が、車両Ｖｅの走行終了時に記憶部５２に記憶される表示用充電率と一致する場合、表示用充電率算出部５３２は、電池Ｂの充電開始から充電終了までの期間、表示用充電率＝推定充電率とすることにより算出される表示用充電率を表示部５１に表示させる。
【００５６】
これにより、電池Ｂの充電開始から充電終了までの期間、推定充電率の増加に伴って表示部５１に表示させる表示用充電率を増加させることができる。
【００５７】
すなわち、表示用充電率算出部５３２は、補正後の推定充電率が表示用充電率と一致する場合、電池の充電中、表示用充電率を増加させることができる。
【００５８】
＜電池Ｂの充電中の演算部５３の動作の他の例について＞
図４は、電池Ｂの充電中の演算部５３の動作の他の例を示すフローチャートである。
【００５９】
まず、演算部５３の推定充電率取得部５３１は、電池Ｂの充電が開示されると（ステップＳ１：Ｙｅｓ）、推定充電率算出部３により算出される補正後の推定充電率を取得するとともに、車両Ｖｅの走行終了時に記憶部５２に記憶された表示用充電率を取得する（ステップＳ２）。
【００６０】
次に、ステップＳ２で取得した補正後の推定充電率が、ステップＳ２で取得した表示用充電率より小さい場合（ステップＳ３：Ｙｅｓ）、推定充電率取得部５３１は、推定充電率算出部３から推定充電率を取得し（ステップＳ４）、表示用充電率算出部５３２は、表示用充電率＝現在の表示用充電率＋（１より小さい補正値Ｃ２×推定充電率の増加分）を計算することにより表示用充電率を算出し（ステップＳ５´）、その算出した表示用充電率を表示部５１に表示させる（ステップＳ５´´）。
【００６１】
ステップＳ４で取得した推定充電率が、ステップＳ２で取得した表示用充電率と一致しないとき（ステップＳ６：Ｎｏ）、ステップＳ４、ステップＳ５´、及びステップＳ５´´が繰り返し行われる。すなわち、推定充電率取得部５３１は、補正後の充電率が表示用充電率より小さい場合、推定充電率が表示用充電率と一致するまで、推定充電率を繰り返し取得する。また、表示用充電率算出部５３２は、補正後の充電率が表示用充電率より小さい場合、推定充電率が表示用充電率と一致するまで、表示用充電率＝現在の表示用充電率＋（１より小さい補正値Ｃ２×推定充電率の増加分）を計算することにより算出される表示用充電率を表示部５１に表示させる。なお、補正値Ｃ２が大きいほど、電池Ｂの充電開始から推定充電率が表示用充電率と一致するまでの期間において、単位時間あたりの表示用充電率の増加量を大きくすることができる。
【００６２】
図４に示すステップＳ７〜Ｓ１５の動作は、図２に示すステップＳ７〜Ｓ１５の動作と同様であるため、その説明を省略する。
【００６３】
すなわち、図４に示すフローチャートの動作を行う表示用充電率算出部５３２によれば、図２に示すフローチャートの動作を行う表示用充電率算出部５３２と同様に、補正後の推定充電率が表示用充電率より小さい場合であっても、電池Ｂの充電中、表示部５１に表示される充電率を減少させないようにすることができる。
【００６４】
図５は、充電開始時に推定充電率算出部３により算出される補正後の推定充電率が、車両Ｖｅの走行終了時に記憶部５２に記憶される表示用充電率より小さい場合の電池Ｂの充電開始から充電終了までの期間における推定充電率及び表示用充電率の変化の一例を示す図である。なお、図５に示す直交座標の横軸は時間を示し、縦軸は電池Ｂの充電率を示している。また、図５に示す実線は推定充電率取得部５３１により取得される推定充電率を示し、図５に示す破線は表示用充電率算出部５３２により算出される表示用充電率を示している。また、電池Ｂの充電開始から充電終了までの期間において、推定充電率取得部５３１により取得される推定充電率が増加し続けるものとする。
【００６５】
図５に示すように、充電開始時に推定充電率算出部３により算出される補正後の推定充電率が、車両Ｖｅの走行終了時に記憶部５２に記憶される表示用充電率より小さい場合、表示用充電率算出部５３２は、電池Ｂの充電開始から推定充電率が表示用充電率と一致するまでの期間、表示用充電率＝現在の表示用充電率＋（１より小さい補正値Ｃ２×推定充電率の増加分）を計算することにより算出される表示用充電率を表示部５１に表示させ、推定充電率が表示用充電率と一致してから電池Ｂの充電が終了するまでの期間、表示用充電率＝推定充電率とすることにより算出される表示用充電率を表示部５１に表示させる。
【００６６】
これにより、電池Ｂの充電開始から充電終了までの期間、推定充電率の増加に伴って表示部５１に表示させる表示用充電率を増加させることができる。また、１より小さい補正値Ｃ２とすることで、表示用充電率が推定充電率と一致するまで、表示用充電率を推定充電率に徐々に近づきながら増加させることができる。
【００６７】
このように、補正後の推定充電率が表示用充電率より小さい場合であっても、電池Ｂの充電中、表示部５１に表示される表示用充電率が減少することがないため、表示部５１を確認しているユーザに与える違和感を低減することができる。また、電池Ｂの充電中であっても、推定充電率が表示用充電率と一致するまでの期間、表示用充電率が増加しない（変化しない）ことがなくなるため、ユーザに与える違和感をさらに低減することができる。
【００６８】
また、本発明は、以上の実施の形態に限定されるものでなく、本発明の要旨を逸脱しない範囲内で種々の改良、変更が可能である。
【符号の説明】
【００６９】
１  電流検出部
２  電圧検出部
３  推定充電率算出部
４  記憶部
５  充電率表示装置
５１  表示部
５２  記憶部
５３  演算部
５３１  推定充電率取得部
５３２  表示用充電率算出部
【図１】
2020008473.tif 000003
【図２】
2020008473.tif 000004
【図３】
2020008473.tif 000005
【図４】
2020008473.tif 000006
【図５】
2020008473.tif 000007